(57)【特許請求の範囲】
【請求項１】
建物の屋根に設置された太陽電池パネルに向けて散水することにより前記太陽電池パネルを冷却及び清掃するための太陽電池パネル散水システムに用いる散水瓦であって、
前記太陽電池パネルに向けて散水する散水ノズルと、
前記散水ノズルに接続された給水管と、
前記屋根に設置される本体部材と、を備え、
前記本体部材には、中途部で屈曲する貫通孔が形成され、
前記貫通孔は、前記太陽電池パネルに向けて開口する第１の開口部と、下方に向けて開口する第２の開口部とを有し、
前記散水ノズルは、そのノズル面が前記第１の開口部から露出するように前記貫通孔に収容され、
前記給水管は、前記第２の開口部を介して前記本体部材の外方へ延びるように前記貫通孔に収容され、
前記本体部材は屋根瓦と実質同一の平面輪郭形状を有し、前記屋根瓦に代えて前記屋根に設置可能であり、
前記本体部材は、前記屋根に設置される瓦部材と、中空の蓋部材とを備え、
前記瓦部材の上面には上方に突出して前記蓋部材を支持するリブが一体的に形成され、
前記第２の開口部は前記瓦部材の下面に形成され、
前記リブに支持された前記蓋部材は、前記リブの外周部を覆うように構成され、
前記第２の開口部を有する前記貫通孔は、前記第２の開口部から前記瓦部材及び前記リブを貫通して延びることを特徴とする散水瓦。
【請求項２】
前記本体部材は金属製であることを特徴とする請求項１に記載の散水瓦。
【請求項３】
前記本体部材には、前記瓦部材と前記蓋部材とを上下方向に貫通する他の貫通孔が形成され、
前記他の貫通孔に挿入された固定ねじを前記屋根に設置された補助板にねじ込むことにより、前記本体部材が前記屋根に対して固定され、
前記蓋部材の前記瓦部材に対する固定と、前記瓦部材の前記補助板に対する固定とが、前記他の貫通孔に挿入された前記固定ねじを前記補助板にねじ込むことで同時に達成されることを特徴とする請求項１又は２に記載の散水瓦。
【請求項４】
太陽電池パネルに向けて散水することにより前記太陽電池パネルを冷却及び清掃するための太陽電池パネル散水システムであって、
建物の屋根に設置された前記太陽電池パネルと、
前記太陽電池パネルの上方に設置された散水瓦と、
前記散水瓦へ給水する給水ポンプと、を備え、
前記散水瓦は、前記太陽電池パネルに向けて散水する散水ノズルと、一端が前記散水ノズルに接続され他端が前記給水ポンプに接続された給水管と、前記屋根に設置される本体部材と、を備え、
前記本体部材には、中途部で屈曲する貫通孔が形成され、
前記貫通孔は、前記太陽電池パネルに向けて開口する第１の開口部と、下方に向けて開口する第２の開口部とを有し、
前記散水ノズルは、そのノズル面が前記第１の開口部から露出するように前記貫通孔に収容され、
前記給水管は、前記第２の開口部を介して前記本体部材の外方へ延びるように前記貫通孔に収容され、
前記本体部材は、屋根瓦に代えて前記屋根に設置可能であり、
前記本体部材は、前記屋根に設置される瓦部材と、中空の蓋部材とを備え、
前記瓦部材の上面には上方に突出して前記蓋部材を支持するリブが一体的に形成され、
前記第２の開口部は前記瓦部材の下面に形成され、
前記リブに支持された前記蓋部材は、前記リブの外周部を覆うように構成され、
前記第２の開口部を有する前記貫通孔は、前記第２の開口部から前記瓦部材及び前記リブを貫通して延びることを特徴とする太陽電池パネル散水システム。
【発明の詳細な説明】
【技術分野】
【０００１】
本発明は、建物の屋根に設置された太陽電池パネルに向けて散水する太陽電池パネル散水システム及びこれに用いられる散水瓦に関する。
【背景技術】
【０００２】
近年、省エネルギー等の観点から、一般家庭等においても太陽光発電システムの導入が進められている。かかる発電システムでは、建物の屋根に設置された太陽電池パネルに太陽光が照射されることにより発電が行われる。
しかしながら、太陽電池パネルに埃や黄砂等の塵が溜まると発電が阻害されてしまう。また、真夏などに太陽光が強くなり太陽電池パネル自体の温度が高くなると発電効率が低下してしまう。
【０００３】
そこで、太陽電池パネルの上方に散水管を水平方向に配し、散水管に形成された複数の孔から太陽電池パネルに向けて散水することで、太陽電池パネルを冷却すると共に黄砂等を除去する方法が知られている（例えば、特許文献１参照）。
【先行技術文献】
【特許文献】
【０００４】
【特許文献１】特開２０１１−１４６４４２号公報
【発明の概要】
【発明が解決しようとする課題】
【０００５】
しかしながら、屋根上のような屋外に設置された散水管は直射日光や風雨にさらされるため劣化が早く、耐久性の面で問題がある。また、冬期に散水管が凍結すると散水ができないという問題が生ずる。散水管の凍結を防止するためには散水管に凍結防止テープを巻き付けることも考えられるが、このような凍結防止テープは更に劣化が激しいため、屋根上に設置された散水管に凍結防止テープを巻き付けるのは現実的でなく、散水管の凍結に対する対策は何ら施されていないのが現状であった。更に、散水管と屋根の間には落ち葉等の塵が堆積し易く美観を損ねる。また、堆積した落ち葉等により雨水が堰き止められると雨漏りの原因にもなる。
【０００６】
そこで本発明は、耐久性に優れ冬期の凍結を防止した太陽電池パネル散水システム及びこれに用いる散水瓦を提供することを目的とする。
【０００７】
また、本発明は、雨漏りの原因となる落ち葉等の堆積を防止した散水瓦の提供を他の目的とする。
【課題を解決するための手段】
【０００９】
本発明の請求項１に記載の散水瓦は、建物の屋根に設置された太陽電池パネルに向けて散水することにより前記太陽電池パネルを冷却及び清掃するための太陽電池パネル散水システムに用いる散水瓦であって、前記太陽電池パネルに向けて散水する散水ノズルと、前記散水ノズルに接続された給水管と、前記屋根に設置される本体部材と、を備え、前記本体部材には、中途部で屈曲する貫通孔が形成され、前記貫通孔は、前記太陽電池パネルに向けて開口する第１の開口部と、下方に向けて開口する第２の開口部とを有し、前記散水ノズルは、そのノズル面が前記第１の開口部から露出するように前記貫通孔に収容され、前記給水管は、前記第２の開口部を介して前記本体部材の外方へ延びるように前記貫通孔に収容され、前記本体部材は屋根瓦と実質同一の平面輪郭形状を有し、前記屋根瓦に代えて前記屋根に設置可能であり、前記本体部材は、前記屋根に設置される瓦部材と、中空の蓋部材とを備え、前記瓦部材の上面には上方に突出して前記蓋部材を支持するリブが一体的に形成され、前記第２の開口部は前記瓦部材の下面に形成され、前記リブに支持された前記蓋部材は、前記リブの外周部を覆うように構成され、前記第２の開口部を有する前記貫通孔は、前記第２の開口部から前記瓦部材及び前記リブを貫通して延びることを特徴とする。
【００１０】
また、本発明の請求項２に記載の散水瓦は、前記本体部材が金属製であることを特徴とする。
【００１２】
また、本発明の請求項３に記載の散水瓦の前記本体部材には、前記瓦部材と前記蓋部材とを上下方向に貫通する他の貫通孔が形成されていて、前記他の貫通孔に挿入された固定ねじを前記屋根に設置された補助板にねじ込むことにより前記本体部材が前記屋根に対して固定され、前記蓋部材の前記瓦部材に対する固定と、前記瓦部材の前記補助板に対する固定とが、前記他の貫通孔に挿入された前記固定ねじを前記補助板にねじ込むことで同時に達成されることを特徴とする。
【００１３】
また、本発明の請求項４に記載の太陽電池パネル散水システムは、太陽電池パネルに向けて散水することにより前記太陽電池パネルを冷却及び清掃するためのものであり、建物の屋根に設置された前記太陽電池パネルと、前記太陽電池パネルの上方に設置された散水瓦と、前記散水瓦へ給水する給水ポンプと、を備え、前記散水瓦は、前記太陽電池パネルに向けて散水する散水ノズルと、一端が前記散水ノズルに接続され他端が前記給水ポンプに接続された給水管と、前記屋根に設置される本体部材と、を備え、前記本体部材には、中途部で屈曲する貫通孔が形成され、前記貫通孔は、前記太陽電池パネルに向けて開口する第１の開口部と、下方に向けて開口する第２の開口部とを有し、前記散水ノズルは、そのノズル面が前記第１の開口部から露出するように前記貫通孔に収容され、前記給水管は、前記第２の開口部を介して前記本体部材の外方へ延びるように前記貫通孔に収容され、前記本体部材は、屋根瓦に代えて前記屋根に設置可能であり、前記本体部材は、前記屋根に設置される瓦部材と、中空の蓋部材とを備え、前記瓦部材の上面には上方に突出して前記蓋部材を支持するリブが一体的に形成され、前記第２の開口部は前記瓦部材の下面に形成され、前記リブに支持された前記蓋部材は、前記リブの外周部を覆うように構成され、前記第２の開口部を有する前記貫通孔は、前記第２の開口部から前記瓦部材及び前記リブを貫通して延びることを特徴とする。
【発明の効果】
【００１５】
本発明の請求項１に記載の散水瓦によれば、屋根に設置される本体部材には貫通孔が形成されていて、この貫通孔に散水ノズル及びこれに接続された給水管が収容されている。これにより、散水ノズル及び給水管が直射日光や風雨にさらされることによる劣化を抑制でき、耐久性に優れた太陽電池パネル散水システムを実現できる。また、給水管が凍結して散水不能となるのを防止できる。
【００１６】
また、給水管は、下方に向けて開口する第２の開口部から本体部材の外方へ延びるので、給水管を屋根の上面に沿って水平方向に延設させる必要がない。従って、給水管と屋根材との間に落ち葉等が堆積して雨漏りの原因になることも、美観を損ねることもない。
更に、本体部材は瓦部材と蓋部材とを備え、瓦部材の上面には上方に突出するリブが一体的に形成され、貫通孔は瓦部材及びリブを貫通するように形成されているので、雨水が瓦部材の上面を伝って流れた場合でも、貫通孔に雨水が浸入するのを防止できる。また、蓋部材はリブの外周部を覆うように構成されていることから、蓋部材にあたって流れ落ちる雨水が貫通孔に浸入するのを防止できる。
【００１７】
本発明の請求項２に記載の散水瓦によれば、本体部材は金属製であるため強度に優れ、その耐久性を向上できる。
【００１９】
本発明の請求項３に記載の散水瓦によれば、蓋部材の瓦部材に対する固定と、瓦部材の補助板に対する固定とが、他の貫通孔に挿入された固定ねじを補助板にねじ込むことで同時に達成されることから、散水瓦を屋根材に固定する際の作業効率を向上できる。
【００２０】
本発明の請求項４に記載の太陽電池パネル散水システムによれば、屋根に設置される散水瓦の本体部材には貫通孔が形成されていて、この貫通孔に散水ノズル及びこれに接続された給水管が収容されている。これにより、散水ノズル及び給水管が直射日光や風雨にさらされることによる劣化を抑制でき、耐久性に優れた太陽電池パネル散水システムを実現できる。
【００２１】
また、給水管は、下方に向けて開口する第２の開口部から本体部材の外方へ延びるので、給水管を屋根の上面で水平方向に延設させる必要がない。従って、給水管と屋根材との間に落ち葉等が堆積して雨漏りの原因になることも、美観を損ねることもない。
更に、本体部材は瓦部材と蓋部材とを備え、瓦部材の上面には上方に突出するリブが一体的に形成され、貫通孔は瓦部材及びリブを貫通するように形成されているので、雨水が瓦部材の上面を伝って流れた場合でも、貫通孔に雨水が浸入するのを防止できる。また、蓋部材はリブの外周部を覆うように構成されていることから、蓋部材にあたって流れ落ちる雨水が貫通孔に浸入するのを防止できる。
【図面の簡単な説明】
【００２２】
【図１】本発明の実施形態に係る太陽電池パネル散水システムを示す側面図（一部断面図）である。
【図２】図１に示す太陽電池パネル散水システムの散水瓦を示す平面図である。
【図３】図２に示す散水瓦を示す斜視図である。
【図４】図２のＩＶ−ＩＶ線断面図である。
【図５】本実施形態の変形例に係る散水瓦を示す平面図である。
【図６】図５に示す散水瓦を示す斜視図である。
【図７】本実施形態の他の変形例に係る散水瓦を示す平面図である。
【図８】図７に示す散水瓦を示す斜視図である。
【図９】本実施形態の他の変形例に係る太陽電池パネル散水システムを示す断面図（一部断面図）である。
【図１０】図９に示す散水瓦を示す平面図である。
【図１１】図９に示す散水瓦を示す正面図である。
【発明を実施するための最良の形態】
【００２３】
以下、本発明に係る太陽電池パネル散水システム及びこれに用いる散水瓦に関する実施形態について図面を参照しながら説明する。以下の説明においては、便宜上、散水瓦が水平面に置かれた状態を基準として散水瓦の上下方向及び前後方向を定義する。よって、散水瓦が屋根等の傾斜面に設置された状態（図１の状態）における散水瓦の上下方向及び前後方向とは厳密には一致しない。
【００２４】
図１において、本実施形態における太陽電池パネル散水システム１は、屋根材２に設置された太陽電池パネル３と、この太陽電池パネル３へ向けて散水する複数の散水瓦１０と、各散水瓦１０に給水するための給水ポンプ（図示せず）とを備える。
【００２５】
図１に示すように、屋根材２は水平面に対して所定の角度を有して配置され、水平方向に所定間隔で配列された複数本のタルキ２１と、タルキ２１上に設置された野地板２２と、野地板２２を覆う防水シート２３と、防水シート２３上に水平方向に延設された複数本の桟木２４と、桟木２４上に設けられた複数の瓦２５とを備える。太陽電池パネル３は、瓦２５に設けられた架台２５ａにより支持される屋根置型であって、その受光面が水平面と所定の角度を有するように配置されている。
【００２６】
複数の散水瓦１０は、太陽電池パネル３の上方位置で水平方向に所定間隔で一列に設置され、給水管１１を介して共通の給水ポンプ（図示せず）に接続されている。給水管１１は、下流側給水管１１ａと、上流側給水管１１ｂと、下流側給水管１１ａと上流側給水管１１ｂとを接続する接続部１１ｃとを備える。図３及び図４に示すように、各散水瓦１０は、金属製の本体部材１２と、前記下流側給水管１１ａと、下流側給水管１１ａの下流側端部に接続された散水ノズル１３とを有する。図４に示すように、本体部材１２には中途部で屈曲する貫通孔１２１が形成され、この貫通孔１２１は本体部材１２の前方に露出する第１の開口部１２１ａと本体部材１２の下方に露出する第２の開口部１２１ｂとを有する。
【００２７】
散水ノズル１３は、ノズル面１３ａが第１の開口部１２１ａから前方に臨むように貫通孔１２１に収容されている。また、貫通孔１２１内部で散水ノズル１３に接続された下流側給水管１１ａは、第２の開口部１２１ｂを介して本体部材１２の外方へ小屋裏（図１）まで延び、接続部１１ｃ及び上流側給水管１１ｂを介して給水ポンプに接続される。
【００２８】
第１の開口部１２１ａの内径寸法はノズル面１３ａの外径寸法より若干多きく設定されていて、貫通孔１２１の内周面と散水ノズル１３と間には両者間の隙間を密閉するためのパッキン１６が設けられている。同様に、第２の開口部１２１ｂの内径寸法は下流側給水管１１ａの外経寸法より若干大きく設定されていて、貫通孔１２１の内周面と下流側給水管１１ａと間には両者間の隙間を密閉するためのパッキン１７が設けられている。これにより、雨水等が貫通孔１２１を介して小屋裏まで浸入するのを防止している。
【００２９】
図１乃至図３に示すように、本体部材１２は瓦部材１４と蓋部材１５とを有する。図４に示すように、瓦部材１４の平面視略中央位置には貫通孔１４１が形成されていて、瓦部材１４の上面には上方に突出するリブ１４ａが貫通孔１４１の周囲を取り囲むように一体的に形成されている。なお、この貫通孔１４１は前記貫通孔１２１の一部を構成するものである。蓋部材１５は、前方及び下方が解放された中空部材であって、リブ１４ａの外面１４ｂ及び散水ノズル１３の外方を覆うように、リブ１４ａにて支持されている。リブ１４ａの前方上端部及び蓋部材１５の内側上面は屈曲面とされていて、これにより散水ノズル１３の外形に沿う形状を有する第１の開口部１２１ａが形成されている。なお、蓋部材１５の前端部はノズル面１３ａより若干前方に位置し、これにより雨水がノズル面１３ａへ直接当たるのを防止している。
【００３０】
本実施形態における瓦２５は和型瓦であって、瓦部材１４の形状及び大きさは、リブ１４ａ及び貫通孔１４１が形成されている点を除き、瓦２５と実質同一である。つまり、瓦部材１４（散水瓦１０）は瓦２５と実質同一の平面輪郭形状を有している。
【００３１】
このように構成された太陽電池パネル散水システム１では、給水ポンプ（図示せず）から給水管１１を介して供給された水が、散水ノズル１３のノズル面１３ａに形成された複数のノズル孔から太陽電池パネル３の受光面に向けて散水される。このように散水された水は受光面に沿って流下することで、その表面に付着した塵を洗い流して清掃すると共に、太陽電池パネル３を冷却する。なお、散水ノズル１３からの水が太陽電池パネル３の受光面に確実に散水されるよう、散水瓦１０は所定の高さを有するように構成されている。
【００３２】
次に、このように構成された散水瓦１０の屋根材２への取り付け方法について説明する。  前述したように、リブ１４ａ及び貫通孔１４１が形成されている点を除き、瓦部材１４は瓦２５と形状及び大きさが実質同一であることから、瓦２５に代えて散水瓦１０を屋根材２へ設置することができる。散水瓦１０を設置する際には、まず散水瓦１０を取り付ける位置を決定し、この位置における瓦２５を１枚取り除いて防水シート２３を露出させる。次に、防水シート２３の上面に補助板３０を搭載し、図示しないビスを用いて補助板３０をタルキ２１に固定する。次に、補助板３０と防水シート２３、及び野地板２３を上下方向（防水シート２３の厚み方向）に貫通する貫通孔３１を穿孔する。このとき貫通孔３１は、散水瓦１０を所定位置に設置した際に貫通孔１２１と連通する位置に形成される。
【００３３】
次に、瓦部材１４を補助板３０上の所定位置へ設置し、固定具（図示せず）にて桟木２４に対して固定する。散水ノズル１３に接続された下流側給水管１１ａを貫通孔１４１へ上方から挿入させる。パッキン１６及び１７を貫通孔１２１と散水ノズル１３及び下流側給水管１１ａの間に位置するように装着させ、蓋部材１５を上方から被せる。蓋部材１５及び瓦部材１４にそれぞれ設けられた貫通孔１５１、１４２にねじ１８を挿入し、これを補助板３０にねじ込むことにより、蓋部材１５及び瓦部材１４を補助板３０に対してねじ止めする。このとき、ねじ１８と蓋部材１５の上面との間にはワッシャー及びゴム製のパッキンを介在させる。なお、本実施形態では、図２に示すように４本のねじ１８を用いて固定する。  
【００３４】
これにより、蓋部材１５の瓦部材１４に対する固定と瓦部材１４の補助板３０に対する固定とを共通のねじ１８で同時に行うことができ、別々のねじを用いた場合に比べて取り付け作業を簡素化できる。また、ねじ１８にて固定された蓋部材１５には瓦部材１４に対して下方向に押しつける力が働くため、パッキン１７は蓋部材１５及び瓦部材１４によって散水ノズル１３の外周面に対して押しつけられ、これにより第１の開口部１２１ａの内面と散水ノズル１３との間をより確実に密閉できる。また、散水瓦１０を補助板３０に対して固定することにより、下流側給水管１１ａ及び散水ノズル１３に水圧がかかっても、散水瓦１０の固定を維持できる。
【００３５】
上述の方法で散水瓦１０を複数個、屋根材２に水平方向に一列に設置した後、屋根材２の下方の小屋裏まで延びた下流側給水管１１ａを、所定位置に設置された共通の給水ポンプ（図示せず）へ接続された上流側給水管１１ｂに対して接続部１１ｃにより接続することで、太陽電池パネル散水システム１全体の設置作業が完了する。なお、設置する散水瓦１０の個数や設置間隔は、太陽電池パネル３の水平方向における長さや個数、散水ノズル１３による散水可能範囲に応じて適宜設定すれば良い。例えば、６０〜１００ｃｍ幅の太陽電池パネル３を水平方向に複数枚敷設した太陽電池パネル散水システム１においては、当該複数枚の太陽電池パネル３の水平方向における全幅に対応する複数枚の瓦２５を全て散水瓦１０に置き換えなくても、２枚或いは３枚の割合で瓦２５を散水瓦１０に置き換えれば、当該複数枚の太陽電池パネル３の幅全体に亘って散水できる。
【００３６】
上述したように、本実施形態における太陽電池パネル散水システム１によれば、散水ノズル１３及び給水管１１（下流側給水管１１ａ）の下流側部位は散水瓦１０の本体部材１２で覆われると共に、給水管１１は小屋裏を通って給水ポンプへ接続されるため、これらは直射日光や風雨に直接さらされることがない。これにより散水ノズル１３及び給水管１１の劣化を抑制して太陽電池パネル散水システム１の耐久性を向上できる。また、散水ノズル１３及び給水管１１の下流側部位は本体部材１２で覆われるため、これらが凍結して散水不能となるのを防止できる。更に、真冬に外気温が氷点下になっても小屋裏が氷点下まで下がることはまれであることから、給水管１１を小屋裏に配置することで給水管１１の凍結を防止できる。給水管１１が凍結するのを更に確実に防止するために、小屋裏に延設された給水管１１に凍結防止テープを巻き付けることも考えられるが、この場合であっても凍結防止テープは直射日光に当たらないため、凍結防止テープの劣化を回避できる。
【００３７】
また、給水管１１（下流側給水管１１ａ）は本体部材１２に形成された貫通孔１２１を介して屋根材２の下方まで延設され、小屋裏を通って給水ポンプへ接続されるため、給水管１１を屋根材２の上面に沿って延設させる必要がない。よって、給水管１１と屋根材２との間に落ち葉等が溜まることによって美観を損ねることがなく、また、雨漏りの原因になることもない。
【００３８】
更に、貫通孔１４１（１２１）の周囲には上方に突出するリブ１４ａが瓦部材１４と一体的に形成されていることから、雨水が瓦部材１４の上面を伝って流れた場合でも、貫通孔１２１に雨水が浸入するのを防止できる。また、蓋部材１５はリブ１４ａの外面１４ｂを覆うように被せられることから、蓋部材１５にあたって流れ落ちる雨水が貫通孔１２１に浸入するのを防止できる。
【００３９】
以上、本発明の実施形態について説明したが、本発明は、上記実施形態に限定されることなく、種々の形態を採り得ることは言うまでもない。
【００４０】
例えば、上記実施形態では瓦２５は和型瓦であったが、異なる種類の瓦２５が使用される場合には、散水瓦１０の瓦部材１４の形状・大きさを使用される瓦２５の種類に応じたものとすればよい。例えば平板型の瓦２５が使用される場合には、図５及び図６に示すように、散水瓦１０の瓦部材１４を平板型瓦と置換可能な形状・大きさにすればよい。或いは、瓦２５がＳ型の場合には、図７及び図８に示すように散水瓦１０の瓦部材１４をＳ型瓦と置換可能な形状・大きさにすればよい。
【００４１】
また、上記実施形態では、太陽電池パネル３が瓦２５に設けられた架台２５ａで支持される屋根置型を例に説明したが、図９に示すように、平板瓦一体型の太陽電池パネル３Ａが用いられる場合には、図９乃至図１１に示すように、高さを抑えて構成された散水瓦１０を用いることもできる。
【００４２】
更に、上記実施形態ではパッキン１６、１７を用いたが、これに代えてコーキングを用いることもできる。また、上記実施形態では本体部材１２が瓦部材１４と蓋部材１５を有する構成としたが、本発明はこれに限定されるものではない。
【００４３】
なお、本発明による太陽電池パネル散水システム１及び散水瓦１０は、太陽電池パネル３の冷却及び清掃を目的とする散水だけでなく、例えば融雪を目的とした散水に用いることもできる。
【符号の説明】
【００４４】
１  太陽電池パネル散水システム
２  屋根材
３、３Ａ  太陽電池パネル
１０  散水瓦
１１  給水管
１１ａ  下流側給水管
１１ｂ  上流側給水管
１２  本体部材
１３  散水ノズル
１３ａ  ノズル面
１４  瓦部材
１４ａ  リブ
１５  蓋部材
１６、１７  パッキン
１８  ねじ
１２１  貫通孔
１２１ａ  第１の開口部
１２１ｂ  第２の開口部
２５  瓦
２５ａ  架台
３０  補助板
【図１】
0005317370.tif 000002
【図２】
0005317370.tif 000003
【図３】
0005317370.tif 000004
【図４】
0005317370.tif 000005
【図５】
0005317370.tif 000006
【図６】
0005317370.tif 000007
【図７】
0005317370.tif 000008
【図８】
0005317370.tif 000009
【図９】
0005317370.tif 000010
【図１０】
0005317370.tif 000011
【図１１】
0005317370.tif 000012